(57)【要約】【課題】ピザ等多角形状や円盤状をなす食品の収納及び配送用ケースにおいて、組み立て作業時の八角形トレー状態の起立保持性を改善し、組み立て作業の効率を上昇させると共に、組み立て完了時における函の機能不良を解消し、かつ消費者の使用時においては、より簡便な操作で内容物を取り出せる組立式紙函を提供する。【解決手段】前後左右辺と隣り合う前後左右辺を連結する傾斜辺を有する八角形状の底板の、前後左右辺にはそれぞれ前後左右側板が連設し、該左右側板の両側辺にはそれぞれ折込側板が連設し、かつ前記前後側板の両側辺にはそれぞれ折込片が連設するとともに、該折込片の端縁に折線を介して連設された連結片が、前記折込側板の端部と傾斜折線を介して連設し、前記折込側板の下辺と前記折込片の下辺と前記傾斜辺とで形成される略直角三角形の空隙を有し、かつ前記後側板の上辺には蓋板が連設されてなることを特徴とする組立式紙函。【選択図】        図２
2004203458.tif 000002
【特許請求の範囲】
【請求項１】
前後左右辺と隣り合う前後左右辺を連結する傾斜辺を有する八角形状の底板の、前後左右辺にはそれぞれ前後左右側板が連設し、該左右側板の両側辺にはそれぞれ折込側板が連設し、かつ前記前後側板の両側辺にはそれぞれ折込片が連設するとともに、該折込片の端縁に折線を介して連設された連結片が、前記折込側板の端部と傾斜折線を介して連設し、前記折込側板の下辺と前記折込片の下辺と前記傾斜辺とで形成される略直角三角形の空隙を有し、かつ前記後側板の上辺には蓋板が連設されてなることを特徴とする組立式紙函。
【請求項２】
前後左右辺と隣り合う前後左右辺を連結する傾斜辺を有する八角形状の底板の、前後左右辺にはそれぞれ前後左右側板が連設し、該左右側板の両側辺にはそれぞれ折込側板が連設し、かつ前記前後側板の両側辺にはそれぞれ折込片が連設するとともに、該折込片の端縁に折線を介して連設された連結片が、前記折込側板の端部と傾斜折線を介して連設し、前記折込側板の下辺と前記折込片の下辺と前記傾斜辺とで形成される略直角三角形の空隙を有してなる八角形状トレーと、該八角形状トレーの開口部を閉塞する蓋体からなることを特徴とする組立式紙函。
【発明の詳細な説明】
【０００１】
【発明の属する技術分野】
本発明は、板紙或いは段ボールシートを打ち抜き形成される紙函に関し、詳しくはピザ等多角形状や円盤状をなす食品の収納及び配送用ケースに関する。
【０００２】
【従来の技術】
従来、ピザに代表されるデリバリーサービス型販売には、通常組立型の配送用ケースが用いられており、厚紙や段ボールシートで製作された四角形や八角形状のケースが一般的である。八角形状のカートンは従来から、円形物品を八点支持により保護できるという特性から、各種製品に利用されており、ピザ用には八角形面を開閉するという平置き形式のケースが各種提案されている。例えば、八角形の底板の後端縁に背板を介して蓋板を繋ぎ、背板と底板及び蓋板の少なくとも一方の稜部に切目線を設け、底板の両側縁に連設した側板を起立させ、その側縁から延出した折曲片を内側へ折り曲げ、底板の前端縁から延出した巻込板で前側の折曲片を抱き込んでトレーを形成し、背板を起立させて蓋板を閉じる紙箱が開示されおり、この紙箱では、蓋板を開き、後側の折曲片を拡げると、内容物を容易に取出すことができるし、また切目線を切断して蓋板を除去すると、後端面が開口するので、内容物を皿等に移載できるものである（例えば特許文献１参照。）。
【０００３】
【特許文献１】
特開２００１−２８７７３１号公報
【０００４】
しかしながら、上記文献記載の発明は、前述のように組み立て作業において、側縁から延出した折曲片を内側へ折り曲げ、底板の前端縁から延出した巻込板で前側の折曲片を抱き込んでトレーを形成する従来型の組立形式のため、手間を要するもので、かつ八角形底板の四隅に形成されたを各折込片は底板及び隅面板に連設されている為反発が強く、折込による八角トレー状態を維持しづらく、組み立て難いという欠点を有していた。
【０００５】
前記の問題を解決するため、次のような発明が開示されている。八角形底板の前後左右辺にそれぞれ前後左右側板が連設し、かつ各傾斜辺は開放辺であり、前記左右側板の両側辺に折込側板がそれぞれ連設し、前後側板の両側辺に折込片がそれぞれ連設し、該折込片と前記折込側板との下辺同士の間に連結板が連設し、前記後側板の上辺に蓋板が連設して成り、前記前後左右側板が起立し、該側板間に前記折込側板、折込片、及び連結片が折り込まれ位置してトレーが形成され、該トレー開口部を閉塞可能に前記蓋板が位置してなる八角形函で、特徴としては折込側板が底板とは連設せず、折込片と折込側板との下辺を連結板で連設したことにより、紙の反発力によって折込側板が起立状態から再び平面状態に戻ってしまうことがなく、函の組立て途中においては、手で函を強固に押さえることなく簡単に保形でき、また蓋板を閉じ組立てが完了した後に、折込側板が蓋板を押し上げ函の組み立て状態を解除してしまうという事故も発生しない、というものである（例えば特許文献２参照。）。
【０００６】
【特許文献２】
特開平１１−３０１６３７号公報
【０００７】
しかしながら、上記文献記載の発明も、函の組み立て途中における各側板の起立状態の維持、すなわちトレーの形成状態が維持できず、各側板は外方へ倒れ平板状に戻ることにより、作業途中での効率低下を解消できるものではなかった。これは折込片と折込側板との下辺を連結板で連設した構造が、従来例の底板の傾斜片から折り返し板を介して折込側板を連設した構造に比べて、紙の反発力をやや小さくすることが出来たものの、折り込み部分の反発を完全に抑えるまでの効果を奏するものでは無かったからである。
【０００８】
【発明が解決しようとする課題】
そこで、本発明は、上記問題を解決するためになしたものであって、その目的とするところは、板紙或いは段ボールシートを打ち抜き形成される紙函のうち、ピザ等多角形状や円盤状をなす食品の収納及び配送用ケースにおいて、組み立て作業時の八角形トレー状態の起立保持性を改善し、組み立て作業の効率を上昇させると共に、組み立て完了時における函の機能不良を解消し、かつ消費者の使用時においては、より簡便な操作で内容物を取り出せる組立式紙函を提供する。
【０００９】
【課題を解決するための手段】
上記課題を解決するため、請求項１の発明は、前後左右辺と隣り合う前後左右辺を連結する傾斜辺を有する八角形状の底板の、前後左右辺にはそれぞれ前後左右側板が連設し、該左右側板の両側辺にはそれぞれ折込側板が連設し、かつ前記前後側板の両側辺にはそれぞれ折込片が連設するとともに、該折込片の端縁に折線を介して連設された連結片が、前記折込側板の端部と傾斜折線を介して連設し、前記折込側板の下辺と前記折込片の下辺と前記傾斜辺とで形成される略直角三角形の空隙を有し、かつ前記後側板の上辺には蓋板が連設されてなることを特徴とする組立式紙函であり、組み立てに際し、それぞれの側板間において前記折込側板、折込片、及び連結片が折り込まれ、折り込み角度による干渉効果により、内側に八角トレー状態が形成並びに保持されるとともに、該八角トレー状態開口部を前記蓋板で閉じるものである。
【００１０】
請求項２の発明は、前後左右辺と隣り合う前後左右辺を連結する傾斜辺を有する八角形状の底板の、前後左右辺にはそれぞれ前後左右側板が連設し、該左右側板の両側辺にはそれぞれ折込側板が連設し、かつ前記前後側板の両側辺にはそれぞれ折込片が連設するとともに、該折込片の端縁に折線を介して連設された連結片が、前記折込側板の端部と傾斜折線を介して連設し、前記折込側板の下辺と前記折込片の下辺と前記傾斜辺とで形成される略直角三角形の空隙を有してなる八角形状トレーと、該八角形状トレーの開口部を閉塞する蓋体からなることを特徴とする組立式紙函であり、八角形状トレーの開口部を閉塞する蓋体を別体とすることにより、八角形状トレーの組み立て作業を更に効率化するとともに、省スペースでの組み立て作業を可能にするものである。
【００１１】
【発明の実施の形態】
上記本発明について、図面等を用いて以下に詳述する。
図１は本発明の組立式紙函の一実施例を示す展開平面図である。図２は同実施例の組み立て途中状態を示す斜視図である。図３は同実施例の組み立て完了状態を示す平面図である。図４は同実施例の要部構造を一部拡大して示す平面図である。図５は本発明の組立式紙函の、他の実施例を示す斜視図。
【００１２】
図１は本発明の組立式紙函の一実施例を示す展開平面図で、板紙或いは段ボールシートを打ち抜き形成される紙函において、八角形状の底板１の前後左右辺には折線を介してそれぞれ前側板２、後側板３、左側板４、右側板５を連設し、傾斜辺は切線により連設部品の無い辺とする。前記前側板２の上辺には折線を介して重合板７を連設するとともに、前記折線中央部には差込溝９を設ける。前記後側板３の上辺には折線を介して蓋板６および差込片８を連設する。又、前記左右側板４、５の上辺には折線を介してそれぞれ耳片１０、１１を連設する。さらに前記左右側板４、５の両側辺には折線を介してそれぞれ折込側板１２、１３、１４、１５を連設し、前記前後側板２、３の両側辺には折線を介してそれぞれ折込片１６、１７、１８、１９を連設するとともに、該折込片１６、１７、１８、１９の延長上に折線を介して連結片２０、２１、２２、２３が連設され、該連結片２０、２１、２２、２３は、先端部において前記折込側板１２、１３、１４、１５と傾斜折線を介して連設される。
【００１３】
本実施例において、前記底板１の傾斜辺は前記左右辺に対しおおよそ２２．５度の傾斜角を有し、前記折込側板１２、１３、１４、１５は、その先端部までの長さを前記八角形状の底板１の傾斜辺より長くし、組み立て完了状態で八角トレー内におおよそ４５度の角度で折り込まれた傾斜壁を形成する寸法とし、また前記折込片１６、１７、１８、１９は、その長さを、前記折込側板１２、１３、１４、１５が組み立て完了状態で八角トレー内におおよそ４５度の角度で折り込まれた傾斜壁に、前記折込片１６、１７、１８、１９が略直角に当接する設定の寸法とする。これにより前記折込側板１２、１３、１４、１５と、前記折込片１６、１７、１８、１９及びその端縁に折線を介して連設される連結片２０、２１、２２、２３とは、展開平面において略直行することとなり、直行部分から４５度の傾斜折線を介して連設されることとなる。尚、前記八角形状の底板１の各傾斜辺と、前記折込側板１２、１３、１４、１５のそれぞれの下辺と、前記折込片１６、１７、１８、１９のそれぞれの下辺とで形成される空隙は略直角三角形となる。
【００１４】
図２は上記実施例の組み立て途中状態を示す斜視図で、八角形状の底板１から前後左右側板２、３、４、５を立ち起こし、折込側板１２、１３、１４、１５をそれぞれ前記底板１上に折り込み操作を行うと、図４の要部構造を一部拡大して示すように、折込片１６、１７、１８、１９が連動して前記折込側板１２、１３、１４、１５に略直角に当接するように折り込まれると同時に、傾斜折線が谷折され、連結片２０、２１、２２、２３はそれぞれ前記折込側板１２、１３、１４、１５の端部に重なるように折り込まれ、前記前後左右側板２、３、４、５と前記折込側板１２、１３、１４、１５とで八角トレーが形成される。折り込み操作の途中からは、折込側板が傾斜折線で連設された連結片並びに折込片をトレー内方に支持するように働くと同時に、折込片並びに連結片が折込側板を折り込み状態に支持するように働く為、前後左右側板は起立状態を保持し、八角トレー状態は安定して維持されることとなる。
【００１５】
形成された八角トレー内にピザ等の商品を投入或いは充填後、耳片１０、１１および重合板７をトレー内方に折り曲げ、次に蓋板６で前記八角トレー状態開口部を閉じつつ、差込片８を差込溝９に差し込んで、図３に示すように組み立てを完了する。組み立て完了時においても、前述のように八角トレー状態が安定的に維持されており、組み立て完了状態に支障を生じることが無い。尚、本実施例において前記蓋板６は、八角形の傾斜辺部分を緩やかに膨らんだ曲線とし樽型形状としているが、これに限定されるものではない。さらに、前記底板１の傾斜辺は開放辺とされ、その外方向に空隙が存在しているので、前記蓋板６のように緩やかに膨らんだ曲線を用いて、樽型形状とすることも出来るし、前記空隙の範囲内で変形が可能である。又本実施例では閉塞方法を、差込片および差込溝を用いる方法としたが、これに限定されるものではない。
【００１６】
消費者の使用にあたっては、差込片８を差込溝９より抜き、蓋板６を開放した後、前側板２を前方に引き倒せば、連動して折込片１６、１８並びに連結片２０、２２及び折込側板１２、１４が動き、ほぼ自動的に左右側板４、５が左右に開くとともに、後方の折込側板１３、１５及び連結片２１、２３並びに折込片１７、１９も連動して、後側板３が後方に倒れることで、元の展開平面状態に復するので、ピザ等の商品を容易に取出すことが出来る。
【００１７】
図５は本発明請求項２に係る組立式紙函の一実施例を示す斜視図で、展開平面図は省略したが、その構成は、板紙或いは段ボールシートを打ち抜き形成される紙函において、八角形状の底板１の前後左右辺には折線を介してそれぞれ前側板２、後側板３、左側板４、右側板５を連設し、傾斜辺は切線により連設部品の無い開放辺とする。前記前後側板２、３の上辺には折線を介して重合板７、７´をそれぞれ連設するとともに、前記折線中央部には差込溝９、９´を設ける。又、前記左右側板４、５の上辺には折線を介してそれぞれ耳片１０、１１を連設する。さらに前記左右側板４、５の両側辺には折線を介してそれぞれ折込側板１２、１３、１４、１５を連設し、前記前後側板２、３の両側辺には折線を介してそれぞれ折込片１６、１７、１８、１９を連設するとともに、該折込片１６、１７、１８、１９の延長上に折線を介して連結片２０、２１、２２、２３が連設され、該連結片２０、２１、２２、２３は、先端部において前記折込側板１２、１３、１４、１５と傾斜折線を介して連設されてなる八角トレー構成部分と、対向する辺に折線を介して差込片８、８´を連設した八角或いは樽型の前記八角トレーの開口部分を閉塞する蓋板６の蓋部構成部分からなる組立式紙函である。
【００１８】
組み立てにあたっては、前述の実施例と同様に八角トレーを形成し、ピザ等の商品を投入或いは充填後、耳片１０、１１および重合板７、７´をトレー内方に折り曲げ、次に蓋板６で前記八角トレー状態開口部を閉じつつ、差込片８、８´を差込溝９、９´に差し込んで組み立てを完了する。本実施例は蓋板部分を別体としたことで、八角トレー構成部分の展開平面を組み立てるので、少ないスペースでの作業が可能であるとともに、展開平面の取り扱いが容易であるため作業の効率を良くすることが出来る。
【００１９】
【発明の効果】
以上のように本発明の組立式紙函は、八角トレーを構成する左右側板の両側辺にそれぞれ折込側板を連設し、前後側板の両側辺にそれぞれ折込片を連設するとともに、折込片の端縁に折線を介して連設された連結片が、前記折込側板の端部で傾斜折線を介して連設されることで、組み立て途中の八角トレー形成状態が外力を要することなく安定的に保持され、組み立て作業の効率を上昇させる効果を有する。また組み立て完了後にも、八角トレー状態が維持されるため、組み立て状態を損なうことが無い。さらに消費者の使用時には、開蓋操作と前側板の前方への引き倒し操作のみで、八角トレー状態が解除され、展開平面に復するので、内容商品の取出しが非常に容易となる。
【００２０】
また、蓋体を別体とした構成とすれば、前記八角トレー状態の保持性の良さとともに、少ないスペースでの組み立て作業が可能となるとともに、小さな展開平面は取り扱いが容易で、組み立て作業が効率的に行えるという効果を有する。
【図面の簡単な説明】
【図１】本発明の組立式紙函の一実施例を示す展開平面図。
【図２】同実施例の組み立て途中状態を示す斜視図。
【図３】同実施例の組み立て完了状態を示す斜視図。
【図４】同実施例の要部構造を一部拡大して示す平面図。
【図５】本発明の組立式紙函の、他の実施例を示す斜視図。
【符号の説明】
１                          底板
２                          前側板
３                          後側板
４                          左側板
５                          右側板
６                          蓋板
７、７´                    重合板
８、８´                    差込板
９、９´                    差込溝
１０、１１                  耳片
１２、１３、１４、１５      折込側板
１６、１７、１８、１９      折込片
２０、２１、２２、２３      連結片
【図１】
2004203458.tif 000003
【図２】
2004203458.tif 000004
【図３】
2004203458.tif 000005
【図４】
2004203458.tif 000006
【図５】
2004203458.tif 000007